(57)【要約】【課題】  固体高分子型水電解槽の構成部材の破損を防止することができる固体高分子型水電解槽を提供する。【解決手段】  固体高分子型水電解槽において、ガスケット(17)に陽極給電体受け用の切欠段部(19)が設けられ、陽極給電体(7) のガスケット側端部が外方に延長され、この延長部(21)が切欠段部(19)に受けられている。【選択図】    図１
2005307280.tif 000002
【特許請求の範囲】
【請求項１】
両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)に陽極給電体受け用の切欠段部(19)が設けられ、陽極給電体(7) のガスケット側端部が外方に延長され、この延長部(21)が切欠段部(19)に受けられていることを特徴とする固体高分子型水電解槽。
【請求項２】
両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)にバックアップメタル覆い用の鍔部(22)が設けられ、バックアップメタル(18)のガスケット側端部(23)が鍔部(22)で覆われていることを特徴とする固体高分子型水電解槽。
【請求項３】
両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)と陽極給電体(7) または陰極給電体(8) の隙間を覆う絶縁耐熱シート(24)がガスケット(17)と陽極給電体(7) または陰極給電体(8) の境界部に設けられていることを特徴とする固体高分子型水電解槽。
【請求項４】
両端に配された陽極主電極(1) および陰極主電極(2) と、これらの主電極の間に直列に配された複数の単位セルと、陽極主電極(1) −複数の単位セル(16)−陰極主電極(2) の組み合わせを両側から締め付ける一対の締め付けフランジ(13)とから主として構成され、各セル(16)の周縁部には、その構成部材である電極接合体膜(3) と複極板(9) の陰極給電体(8) 側の面との間に電解槽内部と外部をシールするＯリング(20)が介在されている固体高分子型水電解槽において、
Ｏリング(20)の少なくとも片側面に圧縮量吸収用の溝(25)が設けられていることを特徴とする固体高分子型水電解槽。
【請求項５】
両端に配された陽極主電極(1) および陰極主電極(2) と、これらの主電極の間に直列に配された複数の単位セルと、陽極主電極(1) −複数の単位セル(16)−陰極主電極(2) の組み合わせを両側から締め付ける一対の締め付けフランジ(13)とから主として構成され、各セル(16)の周縁部には、その構成部材である電極接合体膜(3) と複極板(9) の陰極給電体(8) 側の面との間に電解槽内部と外部をシールするＯリング(20)が介在されている固体高分子型水電解槽において、
Ｏリング(20)の複極板(9) に面する側面に嵌合用の突部(26)が設けられ、複極板(9) に嵌合用の凹部(27)が設けられ、複極板(9) の凹部(27)にＯリング(20)の突部(26)が嵌込まれていることを特徴とする固体高分子型水電解槽。
【請求項６】
両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
単位セル(16)ごとに、ガスケット(17)の外側にガスケットの飛び出しを抑えるリング状のガスケット押え部材(28)が設けられていることを特徴とする固体高分子型水電解槽。
【請求項７】
両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
電解槽の外周面にガスケットの飛び出しを抑えるように同槽を覆う筒状のガスケット押え部材(29)が設けられていることを特徴とする固体高分子型水電解槽。
【発明の詳細な説明】
【技術分野】
【０００１】
この発明は、固体高分子電解膜を用いて水を電解し、陽極に酸素、陰極に水素を発生させる高圧型固体高分子型水電解槽に関し、より詳しくは、水電解槽において、複極板自体、特にＯリング溝部の剛性を増大し、反り、曲り等の歪み変形が生じたり電解水や発生ガスのリークが生じるのを確実に防ぐことができる高圧型固体高分子型水電解槽に関するものである。
【背景技術】
【０００２】
電極接合体膜を用いて水電解によって水素および酸素を製造する積層型水電解槽は、図１、図２に示すように、両端に配された陽極主電極(1) および陰極主電極(2) と、これらの主電極(1) (2) の間に直列に配された複数の単位セル(16)と、陽極主電極(1) −複数の単位セル(16)−陰極主電極(2) の組み合わせを両側から締め付ける一対の締め付けフランジ(13)とから主として構成されている。
【０００３】
１つのセル(16)は、複極板(9) の陽極側、陽極給電体(7) 、電極接合体膜(3) 、陰極給電体(8) 、および隣の複極板(9) の陰極側から主として構成されている。各セル(16)の周縁部には、電極接合体膜(3) と複極板(9) の陰極給電体(8) 側の面との間に、電解槽内部と外部をシールするＯリング(20)が介在されている。単位セルの個数は、商業規模の電解槽では、１０から６００程度である。
【０００４】
電極接合体膜(3) は、固体高分子電解膜からなるイオン交換膜(4) と、その両面に貴金属めっきされた触媒電極層(5)(6)とからなる。
【０００５】
複極板(9) と電極接合体膜(3) の間には給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている。
【０００６】
上記構成の電解槽において、水は電解槽下部の給水ヘッダー(10)から各単位セル内に供給されると、触媒電極層(5)(6)の表面で電気分解され、陽極側では酸素、陰極側では水素がそれぞれ発生する。発生した酸素および水素はそれぞれ多孔質の給電体(7)(8)を通って複極板(9) の陽極側および陰極側に達し、更に複極板に設けられた垂直流路を通って電解槽上部に達し、電解槽上部の酸素ヘッダー(11)および水素ヘッダー(12)を通って外部に排出される。
【発明の開示】
【発明が解決しようとする課題】
【０００７】
従来の固体高分子型水電解槽では、図１１に示すように、陽極給電体(7) とこれに沿うバックアップメタル(18)とは同サイズであって、これらは 複極板(9) と電極接合体膜(3) とで挟まれている。そのため、運転時間の経過と共にガスケット(17)と陽極給電体(7) の僅かな隙間に電極接合体膜(3) が屈折して嵌まり込み、同膜(3) の破損を招き、またバックアップメタル(18)のエッジが電極接合体膜(3) の方へとびでてこれを傷付けるという問題があった。
【０００８】
この発明の目的は、上記の実状に鑑み、固体高分子型水電解槽の構成部材の破損を防止することができる固体高分子型水電解槽を提供することにある。
【課題を解決するための手段】
【０００９】
請求項１に係る発明は、両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)に陽極給電体受け用の切欠段部(19)が設けられ、陽極給電体(7) のガスケット側端部が外方に延長され、この延長部(21)が切欠段部(19)に受けられていることを特徴とする固体高分子型水電解槽である。
【００１０】
請求項２に係る発明は、両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)にバックアップメタル覆い用の鍔部(22)が設けられ、バックアップメタル(18)のガスケット側端部が鍔部(22)で覆われていることを特徴とする固体高分子型水電解槽である。
【００１１】
請求項３に係る発明は、両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
ガスケット(17)と陽極給電体(7) または陰極給電体(8) の隙間を覆う絶縁耐熱シート(24)がガスケット(17)と陽極給電体(7) または陰極給電体(8) の境界部に設けられていることを特徴とする固体高分子型水電解槽である。
【００１２】
請求項４に係る発明は、両端に配された陽極主電極(1) および陰極主電極(2) と、これらの主電極の間に直列に配された複数の単位セルと、陽極主電極(1) −複数の単位セル(16)−陰極主電極(2) の組み合わせを両側から締め付ける一対の締め付けフランジ(13)とから主として構成され、各セル(16)の周縁部には、その構成部材である電極接合体膜(3) と複極板(9) の陰極給電体(8) 側の面との間に電解槽内部と外部をシールするＯリング(20)が介在されている固体高分子型水電解槽において、
Ｏリング(20)の少なくとも片側面に圧縮量吸収用の溝(25)が設けられていることを特徴とする固体高分子型水電解槽である。
【００１３】
請求項５に係る発明は、両端に配された陽極主電極(1) および陰極主電極(2) と、これらの主電極の間に直列に配された複数の単位セルと、陽極主電極(1) −複数の単位セル(16)−陰極主電極(2) の組み合わせを両側から締め付ける一対の締め付けフランジ(13)とから主として構成され、各セル(16)の周縁部には、その構成部材である電極接合体膜(3) と複極板(9) の陰極給電体(8) 側の面との間に電解槽内部と外部をシールするＯリング(20)が介在されている固体高分子型水電解槽において、
Ｏリング(20)の複極板(9) に面する側面に嵌合用の突部(26)が設けられ、複極板(9) に嵌合用の凹部(27)が設けられ、複極板(9) の凹部(27)にＯリング(20)の突部(26)が嵌込まれていることを特徴とする固体高分子型水電解槽である。
【００１４】
請求項６に係る発明は、両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
単位セル(16)ごとに、ガスケット(17)の外側にガスケットの飛び出しを抑えるリング状のガスケット押え部材(28)が設けられていることを特徴とする固体高分子型水電解槽である。
【００１５】
請求項７に係る発明は、両端に配された陽極主電極(1) および陰極主電極(2) と、これらの主電極の間に直列に配された複数の単位セル(16)と、陽極主電極(1) −複数の単位セル(16)−陰極主電極(2) の組み合わせを両側から締め付ける一対の締め付けフランジ(13)とから主として構成され、各単位セル(16)は複極板(9) の陽極側、陽極給電体(7) 、電極接合体膜(3) 、陰極給電体(8) 、および隣の複極板(9) の陰極側から主として構成され、複極板(9) と電極接合体膜(3) の間に給水ヘッダー(10)、酸素ヘッダー(11)および水素ヘッダー(12)の位置にてそれぞれガスケット(17)が介設され、陽極給電体(7) の複極板側および陰極給電体(8) の複極板側にそれぞれ給電体補強および水流路用のバックアップメタル(18)が沿わされている固体高分子型水電解槽において、
電解槽の外周面にガスケットの飛び出しを抑えるように同槽を覆う筒状のガスケット押え部材(29)が設けられていることを特徴とする固体高分子型水電解槽である。
【発明の効果】
【００１６】
請求項１〜３に係る発明によれば、ガスケット(17)と陽極給電体(7) の僅かな隙間に電極接合体膜(3) が屈折して嵌まり込んで同膜(3) が傷付くことがない。また、バックアップメタル(18)のエッジは電極接合体膜(3) に対し非接触状態にされているので、同エッジが電極接合体膜(3) を傷付けることもない。
【００１７】
請求項４に係る発明によれば、締め付けによりＯリング(20)が圧縮されても、溝(25)によって圧縮量が吸収されるので、これに内接する陰極給電体(8) およびバックアップメタル(18)の押圧変形が大幅に軽減され、破損が防がれる。
【００１８】
請求項５に係る発明によれば、電解槽内のガス圧力が上昇しても、Ｏリング(20)は複極板(9) に対し外方にずれることがなく、そのためＯリング(20)と陰極給電体(8) の間に隙間ができることもなく、電極接合体膜(3) が破損を来たす恐れがない。
【００１９】
請求項６および７に係る発明によれば、電解槽内の圧力が外部より高い場合でも、ガスケット押え部材(28)(29)により、ガスケット(17)が高ガス圧で電解槽より飛び出して槽内のガスが外部にリークするのを確実に防止することができ、大気圧〜７０ＭＰａの水素を製造するのに適している。
【発明を実施するための最良の形態】
【００２０】
以下、この発明を実施例に基づいて具体的に説明する。
【００２１】
実施例１
電極接合体膜を用いて水電解によって水素および酸素を製造する積層型水電解槽の基本構成は、図１、図２に基づいて前述した通りである。
【００２２】
図３において、ガスケット(17)に陽極給電体受け用の切欠段部(19)が設けられている。陽極給電体(7) のガスケット側端部は外方に延長され、この延長部(21)が切欠段部(19)に受けられている。
【００２３】
実施例２
電極接合体膜を用いて水電解によって水素および酸素を製造する積層型水電解槽の基本構成は、図１、図２に基づいて前述した通りである。
【００２４】
図４において、ガスケット(17)にバックアップメタル覆い用の鍔部(22)が設けられている。バックアップメタル(18)のガスケット側端部(23)が鍔部(22)で覆われている。
【００２５】
実施例３
電極接合体膜を用いて水電解によって水素および酸素を製造する積層型水電解槽の基本構成は、図１、図２に基づいて前述した通りである。
【００２６】
図５において、ガスケット(17)と陽極給電体(7) の隙間を覆う絶縁耐熱シート(24)がガスケット(17)と陽極給電体(7) の境界部に設けられている。この実施例では、ガスケット(17)に陽極給電体受け用の切欠段部(19)が設けられ、陽極給電体(7) のガスケット側端部が外方に延長され、この延長部(21)が切欠段部(19)に受けられているが、このような構成でなくてもよい。
【００２７】
実施例４
電極接合体膜を用いて水電解によって水素および酸素を製造する積層型水電解槽の基本構成は、図１、図２に基づいて前述した通りである。
【００２８】
図６は積層型水電解槽の構成をより分かりやすく示す分解図である。陽極給電体(7) の複極板側および陰極給電体(8) の複極板側にそれぞれ給電体補強および水流路用のバックアップメタル(18)が沿わされている。
【００２９】
図７において、セル(16)の構成部材である電極接合体膜(3) と複極板(9) の陰極給電体(8) 側の面との間に介設された例えばフッ素系ゴムシート製のＯリング(20)の両側面に圧縮量吸収用の溝(25)が設けられている。
【００３０】
従来、一対のフランジ(13)で挟まれた陽極主電極(1) −複数の単位セル(16)−陰極主電極(2) の組み合わせをボルト(14)・ナット(15)で締め付けると、図８に示すように、Ｏリング(20)が圧縮され、これに内接する陰極給電体(8) およびバックアップメタル(18)を押圧し、破損を引き起こすことがあった。
【００３１】
この実施例では、Ｏリング(20)の両側面に圧縮量吸収用の溝(25)が設けられているので、上記のような締め付けによりＯリング(20)が圧縮されても、溝(25)によって圧縮量が吸収されるので、これに内接する陰極給電体(8) およびバックアップメタル(18)の押圧変形が大幅に軽減され、破損が防がれる。またＯリング(20)によるシール効果は損なわれることがない（１．５ＭＰａで３０分の耐圧試験および０．５ＭＰａで５分の内部気密試験の結果はいずれも良好であった）。
【００３２】
実施例５
電極接合体膜を用いて水電解によって水素および酸素を製造する積層型水電解槽の基本構成は、図１、図２に基づいて前述した通りである。
【００３３】
図６は積層型水電解槽の構成をより分かりやすく示す分解図である。陽極給電体(7) の複極板側および陰極給電体(8) の複極板側にそれぞれ給電体補強および水流路用のバックアップメタル(18)が沿わされている。
【００３４】
図９において、セル(16)の構成部材である電極接合体膜(3) と複極板(9) の陰極給電体(8) 側の面との間に介設されたフッ素系ゴムシート製のＯリング(20)において、複極板(9) に面する側面に嵌合用の突部(26)が設けられている。複極板(9) には突部(26)に対応する位置に嵌合用の凹部(27)が設けられている。複極板(9) の凹部(27)にＯリング(20)の突部(26)が嵌込まれている。突部(26)の好ましい形状は断面方形または半円形である。
【００３５】
従来、Ｏリング(20)の側面は、図１０に示すように、フラットに形成されていたため、電解槽内のガス圧力が上昇するのに伴い、Ｏリング(20)は外方に押圧され、その結果Ｏリング(20)と陰極給電体(8) の間に隙間ができ、この隙間のために電極接合体膜(3) が支持されなくなり内外ガス差圧により同膜(3) が破損を来たすことがあった。
【００３６】
この実施例では、Ｏリング(20)の側面に突部(26)が設けられ、複極板(9) には凹部(27)が設けられ、複極板(9) の凹部(27)にＯリング(20)の突部(26)が嵌込まれているので、電解槽内のガス圧力が上昇しても、Ｏリング(20)は複極板(9) に対し外方にずれることがなく、そのためＯリング(20)と陰極給電体(8) の間に隙間ができることもなく、電極接合体膜(3) が破損を来たす恐れがない。またＯリング(20)によるシール効果は損なわれることがない（１．５ＭＰａで３０分の耐圧試験および０．５ＭＰａで３０分の内部気密試験の結果はいずれも良好であった）。
【００３７】
実施例６
図１２は高圧容器収納型電解槽を示す。図中、(30)は圧力容器、(31)はその中に収められた電界槽、(1) は陽極主電極、(2) は陰極主電極、(16)は両主電極の間に直列に配された複数の単位セル、(32)と(33)は陽極主電極(1) −複数の単位セル(16)−陰極主電極(2) の組み合わせを上下から挟む天板と底板、(14)と(15)は、天板(32)と底板(33)で挟まれた陽極主電極(1) −複数の単位セル(16)−陰極主電極(2) の組み合わせを締め付けるボルトとナットである。
【００３８】
図１３において、各単位セル(16)は複極板(9) の陽極側、陽極給電体(7) 、電極接合体膜(3) 、陰極給電体(8) 、および隣の複極板(9) の陰極側から主として構成されている。複極板(9) と電極接合体膜(3) の間に、給水ヘッダー(10)、酸素ヘッダー(11)および水素ヘッダー(12)の位置にてそれぞれガスケット(17)が介設され、これによって発生水素が槽外へ漏れないようになされている。
【００３９】
単位セル(16)ごとに、ガスケット(17)の外側にガスケットの飛び出しを抑えるリング状のガスケット押え部材(28)が設けられている。ガスケット押え部材(28)は絶縁性の高温耐熱用プラスチックで構成されている。
【００４０】
ガスケット押え部材(28)により、電解槽内の圧力が外部より高い場合でも、ガスケット(17)が高ガス圧で電解槽より飛び出して槽内のガスが外部にリークするのを確実に防止することができ、大気圧〜７０ＭＰａの水素を製造するのに適している。
【００４１】
実施例７
図１４において、実施例６のものと同じ構成の高圧容器収納型電解槽の外周面に、陽極主電極(1) と陰極主電極(2) の間に筒状のガスケット押え部材(29)が設けられている。ガスケット押え部材(29)は絶縁性の高温用プラスチックで構成されている。(34)は一対のフランジ(35)を圧着するボルト・ナットである。
【００４２】
電解槽内の圧力が比較的低圧（例えば１ＭＰａ）である場合も、ガスケット押え部材(29)によって、ガスケット(17)が高ガス圧で電解槽より飛び出して槽内のガスが外部にリークするのを確実に防止することができる。
【図面の簡単な説明】
【００４３】
【図１】電極接合体膜を用いて水電解によって水素および酸素を製造する積層型水電解槽の概略図である。
【図２】電極接合体膜を用いて水電解によって水素および酸素を製造する積層型水電解槽の分解斜視図である。
【図３】実施例１のガスケットおよびその周辺の構造を示す概略的な断面図である。
【図４】実施例２のガスケットおよびその周辺の構造を示す概略的な断面図である。
【図５】実施例３のガスケットおよびその周辺の構造を示す概略的な断面図である。
【図６】電極接合体膜を用いて水電解によって水素および酸素を製造する積層型水電解槽の分解断面図である。
【図７】実施例４のＯリング構造を示す概略的な断面図である。
【図８】従来のＯリング構造を示す概略的な断面図である。
【図９】実施例５のＯリング構造を示す概略的な断面図である。
【図１０】従来のＯリング構造を示す概略的な断面図である。
【図１１】従来のガスケットおよびその周辺の構造を示す概略的な断面図である。
【図１２】高圧容器収納型電解槽を示す垂直断面図である。
【図１３】実施例６のガスケット押え構造を示す概略的な断面図である。
【図１４】実施例７のガスケット押え構造を示す電界槽の斜視図である。
【符号の説明】
【００４４】
(1) ：陽極主電極
(2) ：陰極主電極
(3) ：電極接合体膜
(7) ：陽極給電体
(8) ：陰極給電体
(9) ：複極板
(13)：フランジ
(16)：単位セル
(17)：ガスケット
(18)：バックアップメタル
(19)：切欠段部
(20)：Ｏリング
(21)：延長部
(22)：鍔部
(23)：延長部
(24)：絶縁耐熱シート
(25)：溝
(26)：突部
(27)：凹部
(28)：リング状のガスケット押え部材
(29)：筒状のガスケット押え部材
【図１】
2005307280.tif 000003
【図２】
2005307280.tif 000004
【図３】
2005307280.tif 000005
【図４】
2005307280.tif 000006
【図５】
2005307280.tif 000007
【図６】
2005307280.tif 000008
【図７】
2005307280.tif 000009
【図８】
2005307280.tif 000010
【図９】
2005307280.tif 000011
【図１０】
2005307280.tif 000012
【図１１】
2005307280.tif 000013
【図１２】
2005307280.tif 000014
【図１３】
2005307280.tif 000015
【図１４】
2005307280.tif 000016